(57)【要約】【課題】ライブハウス・ダンスホール・食事会場等に使用するものとして、観客席として上下に段差をつけるために室内の床を一部可動とするのに、簡易な動力機構で、構造も複雑ではなく安価に形成できる兼用小規模コンサートホールを提供する。【解決手段】ピット２０の底に設けるベースフレーム２１に第１段目の電動ジャッキ２４を設け、これで中間フレーム２２を昇降自在に支承し、中間フレーム２２に第２段目の電動ジャッキ２５を設け、この第２段目のジャッキ２５でトップフレーム２３を昇降自在に支承し、トップフレーム２３に仕上げ用床台２６を取り付け、前記中間フレーム２２の端部にベースフレーム２１の立ち上がり部２７とトップフレーム２３の垂下部２９に係合する触れ止め用縦フレーム２８を設けてなる可動床部分を、室内の床の一部に設けた。【選択図】図１
2019031854.tif 000002
【特許請求の範囲】
【請求項１】
ピットの底に設けるベースフレームに第１段目の電動ジャッキを設け、これで中間フレームを昇降自在に支承し、中間フレームに第２段目の電動ジャッキを設け、この第２段目のジャッキでトップフレームを昇降自在に支承し、トップフレームに仕上げ用床台を取り付け、前記中間フレームの端部にベースフレームの立ち上がり部とトップフレームの垂下部に係合する触れ止め用縦フレームを設けてなる可動床部分を、室内の床の一部に設けたことを特徴とする兼用小規模コンサートホール。
【請求項２】
電動ジャッキは車載用の電動パンタグラフジャッキである請求項１記載の兼用小規模コンサートホール。
【請求項３】
車載用の電動パンタグラフジャッキは交換可能に取り付ける請求項２記載の兼用小規模コンサートホール。
【請求項４】
可動床部分は、一辺が１０００〜１５００ｍｍの矩形平面である請求項１ないし請求項３のいずれかに記載の兼用小規模コンサートホール。
【発明の詳細な説明】
【技術分野】
【０００１】
本発明は、ライブハウス・ダンスホール・食事会場等に使用できる兼用小規模コンサートホールに関するものである。
【背景技術】
【０００２】
生演奏の為の小規模コンサートホールは単一使用では採算上成立が難しい。他の用途と兼用することにより成立させることができる。
【０００３】
下記特許文献１には、多目的ホール、スタジオだけでなく式場、食堂等で部分的に設けられる可動床として、ブロックごとに独立して当該可動床の高さを調節可能としたもので、可動床を階段状観客席にしたり、ステージにしたり、平床にする他に、ホール内において下段フロアーと上段フロアーとの間に可動床からなる階段を設けたりするなどして、多様性に富んだ床配列を行えるものが示されている。
【特許文献１】特許第５１６６０８３号公報
【０００４】
この特許文献１は、図１４〜図２０に示すように、少なくとも一つの駆動装置で格子状に並べたものの矩形の１つを昇降フレーム６を昇降させ分割体１ｂ，１ｃ……全体を、すなわち複数のブロック１−２，１−３……を同時に昇降させることができる。
【０００５】
各分割体１ａ…１ｎをさらに複数の縦横方向のブロック１−１，１−２，１−３……１−９に分割して、そのうちの任意の箇所のブロック１−１を可動階段体３とし、その他のブロック１−２，１−３……１−９を可動床体２とし、可動床体２および可動階段体３はそれぞれ独立して個別に昇降するものであり、床下２ａや階段下３ｅに昇降手段を備える。
【０００６】
可動床体２の昇降手段は、可動床体２の下面からブロック１−１，１−２……ごとに突設した支持フレーム５を適宜高さ位置に昇降フレーム６に係止することによる。
【０００７】
さらに、昇降フレーム６の昇降手段は、昇降フレーム６内に一体に取付けられた内ネジによる昇降パイプ１７と、ベース７上に立設され前記昇降パイプ１７の内部に螺合するネジ棒８と、前記と同じベース７上に立設され昇降フレーム６が昇降するガイドパイプ９と、前記ネジ棒８を回転させる駆動用のギヤ１０とで構成する。
【０００８】
前記支持フレーム５には、平面コ字形のフレーム本体に長さ方向にそって適宜間隔で複数のピン受け５ａを水平に並設するか、または、長さ方向に適宜間隔で係止孔５ｂを穿設してある。
【０００９】
昇降フレーム６は、正面コ字形のフレーム本体からピン６ａを支持フレーム５の方向に向けて水平方向に出没自在に設けたもので、ピン６ａはソレノイド６ｃのプランジャー６ｄにより回動するＬ字形のアーム６ｂの先端に結合されて、突出時に、支持フレーム５に形成してある係止孔５ｂまたはピン受け５ａに係止するように構成してある。ピン受け５ａに係止させる構造の場合は、ピン６ａの先端に係止用の切欠き６ｅを上向きのＵ字形に形成する。
【００１０】
可動床体２を上昇させるには、それぞれのブロックごとに上昇高さを設定し、モータ４を駆動してギヤ１０を回転して、ネジ棒８を回転させ、これにより、ネジ棒８に螺合している昇降パイプ１７が上昇してこれと一体の昇降フレーム６がネジ棒８にそって上昇する。同時にガイドパイプ９に昇降自在に取付けてある昇降フレーム６もガイドパイプ９にそって上昇する。
【００１１】
このとき、ソレノイド６ｃには通電されていないから、ピン６ａは昇降フレーム６の本体内に収納され、支持フレーム５の方向には突出しておらず、ピン６ａが昇降フレーム６の上昇を妨げることはない。
【００１２】
昇降フレーム６が昇降パイプ１７およびガイドパイプ９にそって所定高さまで上昇したところでソレノイド６ｃに通電されて昇降フレーム６の本体からピン６ａが支持フレーム５の方向に突出し、支持フレーム５が昇降フレーム６に固定される。
【００１３】
この場合、ピン６ａの先端に切欠き６ｅが形成してあるときは、切欠き６ｅ内にピン受け５ａが係合してピン６ａを介して昇降フレーム６で支持フレーム５のピン受け５ａを押し上げることで支持フレーム５が上昇する。
【００１４】
また、支持フレーム５に係止孔５ｂが形成してある場合は、ピン６ａがこの係止孔５ｂに挿入することで、ピン６ａを介して昇降フレーム６で支持フレーム５を押し上げる。
【００１５】
この状態で昇降フレーム６をさらに設定高さ位置まで上昇させれば、昇降フレーム６と一体になった支持フレーム５が上昇して、床板が所定の設定位置まで上昇する。
【００１６】
ブロック１−１に形成した可動階段体３は、一例として床板の一方の角部を方形の踏板３ａに、他の部分をこの方形部を囲むようなＬ字形の踏板３ｂ，３ｃ……に形成し、各踏板３ａ…はそれぞれ個別に独立して昇降自在なものとする。
【００１７】
そして、角部の踏板３ａとこれと対向位置の他の角部に位置する踏板に、前記可動床体２に設置したと同様の昇降手段を設ける。
【００１８】
これに加えて、各踏板３ａ…の下方にシリンダー１１とピストン１２およびこのピストン１２の一端に回動自在に結合してリンク機構を構成するアーム１３とによる階段状に各踏板３ａ…を上昇させる機構を設ける。各踏板３ａ…は、一方の外側に位置する踏板３ｄを除く他の踏板３ａ…のそれぞれの下部がシリンダー１１の外面に回動自在に軸着される。
【００１９】
可動階段体３の踏板３ａ…を階段状に上昇させるには、一方の踏板３ａ側の支持フレーム５に係合する昇降フレーム６の結合固定位置と、他方の踏板３ｄ側の支持フレーム５に係合する昇降フレーム６の結合固定位置とを異ならせて、踏板３ａと踏板３ｄとの昇降高さを異ならせる。図示の例では踏板３ａが高く、踏板３ｄが低く設定されている。
【００２０】
そして、踏板３ａと踏板３ｄを上昇させれば、両踏板３ａ，３ｄの間に配置されている踏板３ｂ，３ｃは、シリンダー１１を介して踏板３ａに、ピストン１２およびアーム１３を介して踏板３ｄにそれぞれ連結しているから、シリンダー１１が斜めになりながら上昇し、同時にピストン１２がシリンダー１１から斜めに引出されるのに追随して、各踏板３ｂ，３ｃは異なる高さに階段状に上昇する。これにより、可動階段体３は平坦な状態から階段状に変化する。
【００２１】
以上のようにして可動床体２の任意位置のものを任意の高さに上昇させ、可動階段体３も階段状に上昇させることで、全体が平坦な状態から、図１９に示すように一方の側に縦長のステージ１４を設け、他方の側にステージ１４と対向させて並列に平坦な可動床体２によるフロアーと、階段状のフロアー１５とを設けるようにしてもよいし、また、図２０に示すように床にコ字形に階段状のフロアー１５を形成し、任意の場所にステージ１４を形成し、任意の位置のフロアーを階段状のフロアー１５に形成できる。
【００２２】
そして、階段状のフロアー１５に上るには、角部の可動階段体３を使用することで階段状のフロアー１５の上段に到達できる。
【００２３】
また、各階段状のフロアー１５には椅子１６を設置する。設置手段としては、各可動床体２に設置用の差込孔などを必要な方向に必要な数設けておいてもよいが、可動床体２の上に置くだけでもよい。
【発明の概要】
【発明が解決しようとする課題】
【００２４】
前記特許文献１は、多目的ホール、スタジオなど比較的大きな施設を対象としたものであり、ネジスクリュー式の昇降手段を分割体ごとに設けた、もしくはシリンダーやピストンによるものであり、装置が大掛かりなものとなる。
【００２５】
生演奏の為の小規模コンサートホールは単一使用では採算上成立が難しい。他の用途と兼用することが望ましいが、その為には、機構スペースを少なくする、機構は汎用品を極力使用しコストダウンを図るなど機構を含めた建設費を抑えることが必要である。
【００２６】
本発明の目的はこのような要請に答えるものとして、前記従来例の不都合を解消し、ライブハウス・ダンスホール・食事会場等に使用するものとして、観客席として上下に段差をつけるために室内の床を一部可動とするのに、簡易な動力機構で、構造も複雑ではなく安価に形成できる兼用小規模コンサートホールを提供することにある。
【課題を解決するための手段】
【００２７】
前記目的を達成するため請求項１記載の本発明は、ピットの底に設けるベースフレームに第１段目の電動ジャッキを設け、これで中間フレームを昇降自在に支承し、中間フレームに第２段目の電動ジャッキを設け、この第２段目のジャッキでトップフレームを昇降自在に支承し、トップフレームに仕上げ用床台を取り付け、前記中間フレームの端部にベースフレームの立ち上がり部とトップフレームの垂下部に係合する触れ止め用縦フレームを設けてなる可動床部分を、室内の床に一部に設けたことを要旨とするものである。
【００２８】
請求項１記載の本発明によれば、中間フレームはベースフレームに設ける第１段目の電動ジャッキで昇降し、仕上げ用床台を取り付けたトップフレームは中間フレームに設ける第２段目の電動ジャッキで昇降する。
【００２９】
このような電動ジャッキという簡易な手段を用いて可動床を昇降できるものであり、さらに、電動ジャッキは中間フレームを介して２段階に設けるので、比較的小さなストロークでも可動床としての所望の起伏高さを得ることができる。
【００３０】
また、中間フレームは第１段目の電動ジャッキと第２段目の電動ジャッキに挟まれて振れやすく不安定なものになり易いが、触れ止め用縦フレームがベースフレームの立ち上がり部とトップフレームの垂下部に係合するので振れることなく安定して昇降できる。
【００３１】
このようにして、本発明によれば、ステージと階段状客席による良い形状を得て理想の小規模コンサートホールを形成することができる。さらに、反射壁・吸音壁の適正配置による音響空間を得る、また、プロセニアム天井反射板により良い音響空間を形成すれば、客席上部からも柔らかい音響を確保できる。
【００３２】
請求項２記載の本発明は、電動ジャッキは車載用の電動パンタグラフジャッキであることを要旨とするものである。
【００３３】
請求項２記載の本発明によれば、車のタイヤ交換などで使用される車載用の電動パンタグラフジャッキ（例えば１２Ｖ，１２０ｍｍ〜３７０ｍｍ、最大荷重１．０ｔ）を用いることで、コントローラーも付設した安価で使い易い電動ジャッキが得られる。
【００３４】
請求項３記載の本発明は、車載用の電動パンタグラフジャッキは交換可能に取り付けることを要旨とするものである。
【００３５】
請求項３記載の本発明によれば、パワーユニットである車載用の電動パンタグラフジャッキをチェンジャブルにすることにより短時間交換を可能にし、機構をシンプルにし高度な技術は必要としないものとすることができる。
【００３６】
請求項４記載の本発明は、可動床部分は、一辺が１０００〜１５００ｍｍの矩形平面であることを要旨とするものである。
【００３７】
請求項４記載の本発明によれば、可動床上に椅子を設置するのに２個を並べて置ける程度の大きさであり、室内の床の一部に設ける大きさをしては好適なものである。
【発明の効果】
【００３８】
以上述べたように本発明の兼用小規模コンサートホールは、ライブハウス・ダンスホール・食事会場等に使用するものとして、観客席として上下に段差をつけるために室内の床に一部可動とするのに、簡易な動力機構で、構造も複雑ではなく安価に形成できるものである。
【発明を実施するための形態】
【００３９】
以下、図面について本発明の実施の形態を詳細に説明する。図１は小規模コンサートホールの可動床部分の側面図、図２は横断平面図である。
【００４０】
図中２０は床下に形成するコンクリート製のピットで、深さは４１０ｍｍである。
【００４１】
本発明はピット２０の底に設けるベースフレーム２１と中間フレーム２２とトップフレーム２３から構成し、トップフレーム２３には仕上げ用床台２６を取り付けた。
【００４２】
ベースフレーム２１は図５に示すように矩形枠状に組んだもので、コーナーから柱体による立ち上がり部２７を立設し、ここにステンレス鋼製スライドレールであるスライドレール３１を設けた。
【００４３】
中間フレーム２２は図８に示すように井桁状に組んだもので、横長の桁材の端部に触れ止め用縦フレーム２８を設ける。
【００４４】
トップフレーム２３は図１１に示すように大引や根太となる桁材を組んだもので、端部に垂下部２９を形成している。
【００４５】
トップフレーム２３に被せる仕上げ用床台２６は可動床部分として一辺が１０００〜１５００ｍｍ（図示では１１５０ｍｍ）の矩形（正方形）平面であるが、室内の床板の一部を構成するものとして、木製であり、周囲の目隠し用のスカート部２６ａを形成した箱形状のものである。
【００４６】
前記ベースフレーム２１に第１段目の電動ジャッキ２４を設け、この電動ジャッキ２４で前記中間フレーム２２を昇降自在に支承し、また、中間フレーム２２に第２段目の電動ジャッキ２５を設け、この第２段目の電動ジャッキ２５でトップフレーム２３を昇降自在に支承した。
【００４７】
ここで電動ジャッキ２４の第１段目とは下側に位置するという意味であり、電動ジャッキ２５の第２段目とは第１段目の電動ジャッキ２４に対してその上側に位置するという意味である。
【００４８】
これら電動ジャッキ２４や電動ジャッキ２５の台数には特に限定はないが、左右のバランスを考慮して図示のように２台を並べて設けるのが望ましい。
【００４９】
電動ジャッキ２４や電動ジャッキ２５には車のタイヤ交換などで使用される車載用の電動パンタグラフジャッキを使用した。図示は省略するが、１２Ｖ，１２０ｍｍ〜３７０ｍｍ、最大荷重１．０ｔで、コントローラーを付設している。
【００５０】
さらに、これら車載用の電動パンタグラフジャッキを使用した電動ジャッキ２４や電動ジャッキ２５はボルト・ナット等で取り付けるなどして、交換可能に取り付けるものとした。
【００５１】
また、前記中間フレームの端部に設ける触れ止め用縦フレーム２８にはスライドレール３１を設けてこれをベースフレーム２１の立ち上がり部２７のスライドレール３１と、および、トップフレーム２３の垂下部２９に設けたスライドレール３１と係合させる。
【００５２】
次に使用法について説明する。先に仕様について説明すると本発明の可動床部分は室内の床の一部として設けるものであり、複数を並べて設けることも可能である。
【００５３】
床レベルは０〜６００ｍｍで、図４に示すように仕上げ用床台２６の上には観客席となる椅子３０を設置することができる。
【００５４】
コントローラ（図示せず）を操作して第１段目の電動ジャッキ２４を駆動して伸長すれば中間フレーム２２が上昇し、第２段目の電動ジャッキ２５を駆動すればトップフレーム２３および仕上げ用床台２６が上昇する。
【００５５】
この第１段目の電動ジャッキ２４と第２段目の電動ジャッキ２５は個別に駆動しても、同時に駆動してもよい。
【００５６】
このようにして可動床部分はせり上がり、前列の非可動床部分の床と段差がつくのでホールのような状態を通り出すことができ、ミニ演奏会を行う場合、もしくは、シアターを設置する場合などに、好適な観客席を作りだすことができる。
【００５７】
また、上昇した可動床部分を下降させるには逆の動作を行う。
【図面の簡単な説明】
【００５８】
【図１】本発明の兼用小規模コンサートホールの可動床部分の上昇状態の縦断側面図である。
【図２】本発明の兼用小規模コンサートホールの可動床部分の横断平面図である。
【図３】本発明の兼用小規模コンサートホールの可動床部分の非上昇状態の縦断正面図である。
【図４】本発明の兼用小規模コンサートホールの可動床部分の使用状態を示す一部切り欠いた平面図である。
【図５】ベースフレームの側面図である。
【図６】ベースフレームの平面図である。
【図７】ベースフレームの正面図である。
【図８】中間フレームの側面図である。
【図９】中間フレームの平面図である。
【図１０】中間フレームの正面図である。
【図１１】トップフレームの側面図である。
【図１２】トップフレームの平面図である。
【図１３】トップフレームの正面図である。
【図１４】従来例を示す要部の平面図である。
【図１５】従来例を示す要部である床下の平面図である。
【図１６】従来例を示す要部の可動床体の上昇行程を示す縦断正面図である。
【図１７】従来例を示す要部の階段状体の平面図である。
【図１８】従来例を示す要部の階段状体の上昇行程を示す縦断正面図である。
【図１９】従来例を示す平坦部と階段状部の配列の一例の説明図である。
【図２０】従来例を示す平坦部と階段状部の配列の他の例の説明図である。
【符号の説明】
【００５９】
１… 可動床
１ａ，１ｂ，１ｃ…１ｎ…分割体
１−１，１−２，１−３……１−９…ブロック
２…可動床体                ２ａ…床下
３…可動階段体              ３ａ，３ｂ，３ｃ，３ｄ…踏板
３ｅ…階段下                ４…モータ
５…支持フレーム            ５ａ…ピン受け
５ｂ…係止孔                ６…昇降フレーム
６ａ…ピン                  ６ｂ…アーム
６ｃ…ソレノイド            ６ｄ…プランジャー
６ｅ…  切欠き
７…ベース                  ８…ネジ棒
９…ガイドパイプ            １０…ギヤ
１１…シリンダー            １２…ピストン
１３…アーム                １４…ステージ
１５…階段状のフロアー      １６…椅子
１７…昇降パイプ
２０…ピット                ２１…ベースフレーム
２２…中間フレーム          ２３…トップフレーム
２４、２５…電動ジャッキ    ２６…仕上げ用床台
２６ａ…スカート部
２７…立ち上がり部          ２８…触れ止め用縦フレーム
２９…垂下部                ３０…椅子
３１…スライドレール
【図１】
2019031854.tif 000003
【図２】
2019031854.tif 000004
【図３】
2019031854.tif 000005
【図４】
2019031854.tif 000006
【図５】
2019031854.tif 000007
【図６】
2019031854.tif 000008
【図７】
2019031854.tif 000009
【図８】
2019031854.tif 000010
【図９】
2019031854.tif 000011
【図１０】
2019031854.tif 000012
【図１１】
2019031854.tif 000013
【図１２】
2019031854.tif 000014
【図１３】
2019031854.tif 000015
【図１４】
2019031854.tif 000016
【図１５】
2019031854.tif 000017
【図１６】
2019031854.tif 000018
【図１７】
2019031854.tif 000019
【図１８】
2019031854.tif 000020
【図１９】
2019031854.tif 000021
【図２０】
2019031854.tif 000022